(57)【要約】【課題】一連の便器洗浄操作が終了する毎に操作部を初期位置に速やかに且つ確実に復帰させることができる洗浄水タンク装置用の操作装置を提供する。【解決手段】本発明の洗浄水タンク装置用の操作装置１は、回転軸４６と、操作ハンドル４４と、操作ワイヤ３８と、駆動ユニット４０と、を有し、この駆動ユニットは、回動部材５８と、回転巻取部材６０と、回転巻取部材が操作位置Ｐ１から正回転方向αに回転して操作位置Ｐ３に到達するまで回動部材と回転巻取部材とを互いに係止する係止手段６４，６６と、回動部材及び回転巻取部材が操作位置Ｐ３に到達すると、回動部材と回転巻取部材との係止を解除し、操作ハンドルの操作に関わらず回転巻取部材を逆回転方向βに回転させて操作位置Ｐ４に移動させる係止解除手段５０ｂと、回動部材を操作位置Ｐ３から便器洗浄操作が開始可能な初期位置Ｐ１に復帰させる付勢手段７６と、を備えている。【選択図】図１３
2017166153.tif 000002
【特許請求の範囲】
【請求項１】
便器に洗浄水を供給する洗浄水タンク装置の排水弁を開弁操作することにより便器への洗浄水の供給を開始させる洗浄水タンク装置用の操作装置であって、
洗浄水を貯える洗浄水タンク装置の洗浄水タンクの内側から外側まで貫くように延びる回転軸と、
上記洗浄水タンクの外側に位置する上記回転軸の外側端部に取り付けられて上記回転軸を回転操作する便器洗浄操作用の操作部と、
一端側が上記洗浄水タンク装置の排水弁に連結される連結部材と、
上記洗浄水タンクの内側に位置する上記回転軸の内側端部に取り付けられると共に、上記連結部材の他端側が連結され、上記操作部の回転操作により上記連結部材を上記排水弁の閉弁位置に相当する第１操作位置から上記排水弁の全開位置に相当する第２操作位置まで移動させて上記排水弁を開弁駆動させる駆動ユニットと、を有し、
この駆動ユニットは、上記回転軸に固定されて上記回転軸の回転と共に一体的に回動する回動部と、
上記連結部材の他端側が連結されて上記回転軸及び上記回動部が上記排水弁を開弁させる開弁方向に回転しているときは上記回動部と係合して上記回動部と共に上記第１操作位置から上記第２操作位置まで所定の開弁方向に回転し、上記連結部材を所定量だけ巻き取る回転巻取部材と、
上記回転巻取部材が上記第１操作位置から上記所定の開弁方向に回転して上記第２操作位置に到達するまで上記回動部と上記回転巻取部材とを互いに係止する係止手段と、
上記回動部及び上記回転巻取部材のそれぞれが上記第１操作位置からそれぞれの上記所定の開弁方向に回転して上記第２操作位置に到達すると、上記回動部と上記回転巻取部材との係止を解除し、上記操作部の操作に関わらず上記回転巻取部材を上記所定の開弁方向とは反対の所定の閉弁方向に回転させて上記第１操作位置に移動させる係止解除手段と、
上記回動部が上記第２操作位置に到達した際に、上記回動部を上記第１操作位置である便器洗浄操作が開始可能な初期位置に復帰させるように付勢する初期位置復帰用の付勢手段と、を備えていることを特徴とする洗浄水タンク装置用の操作装置。
【請求項２】
上記駆動ユニットの回動部は、上記回転軸に固定された駆動側回動部と、この駆動側回動部の駆動により従動可能な従動側回動部と、を備えており、
上記初期位置復帰用の付勢手段は、上記駆動側回動部及び上記従動側回動部の少なくとも一方に設けられている請求項１記載の洗浄水タンク装置用の操作装置。
【請求項３】
上記駆動側回動部は、上記回転軸に固定された駆動側回動部材を備えており、上記従動側回動部は、上記駆動側回動部材と係合可能な第１従動側回動部材と、この第１従動側回動部材と係合可能な第２従動側回動部材と、を備えており、上記初期位置復帰用の付勢手段は、上記第２従動側回動部材に設けられている請求項２記載の洗浄水タンク装置用の操作装置。
【請求項４】
上記請求項１乃至３の何れか１項に記載の洗浄水タンク装置用の操作装置を備えた洗浄水タンク装置。
【請求項５】
上記請求項４記載の洗浄水タンク装置を備えた水洗大便器。
【発明の詳細な説明】
【技術分野】
【０００１】
本発明は、洗浄水タンク装置用の操作装置、この操作装置を備えた洗浄水タンク装置、及び、この洗浄水タンク装置を備えた水洗大便器に係り、特に、便器に洗浄水を供給する洗浄水タンク装置の排水弁を開弁操作することにより便器への洗浄水の供給を開始させる洗浄水タンク装置用の操作装置、この操作装置を備えた洗浄水タンク装置、及び、この洗浄水タンク装置を備えた水洗大便器に関する。
【背景技術】
【０００２】
従来から、便器に洗浄水を供給する洗浄水タンク装置の排水弁を開弁操作することにより便器への洗浄水の供給を開始させる洗浄水タンク装置用の操作装置として、例えば、特許文献１に記載されているように、上下動することにより洗浄水タンクの排水口を開閉する排水弁装置（いわゆる、直動式の排水弁装置）について、排水弁体に連結された操作ワイヤを引き上げる引き上げ量（或いは、操作ワイヤを巻き上げる巻き上げ量）等の操作ワイヤの移動量を操作することにより、排水弁体の上下方向の移動量を操作するものが知られている。
このような特許文献１に記載されている従来の洗浄水タンク装置用の操作装置においては、使用者が回転操作可能な操作ハンドル等の操作部と、この操作部の回転動作により連動して操作ワイヤを巻き上げるプーリとを備えている。また、操作部及びプーリは、動作状態に関わらず、互いに常時連結された状態となっており、初期位置の操作部及びプーリを回転操作して操作ワイヤが巻き上げられることにより排水弁体の開弁操作が開始してから、排水弁体が洗浄水タンク内の水位の低下と共に下降して閉弁するまでの時間、すなわち、操作部の操作を開始してから終了するまでの操作時間（操作部の操作時間）や排水弁体が開弁している時間（排水弁体の開弁時間）に応じて、洗浄水タンク装置から便器に供給される洗浄水量が決定されるようになっている。
したがって、例えば、操作ハンドル及びプーリを回転操作した状態が維持されて、操作ワイヤが巻き上げられた状態が維持され、排水弁体が引き上げられた状態が維持される時間が長くなる程、操作部の操作時間や排水弁体の開弁時間も長くなるため、洗浄水タンク装置から便器に供給される洗浄水量が増大するようになっている。
【先行技術文献】
【特許文献】
【０００３】
【特許文献１】特開２０１４−１９０１３１号公報
【発明の概要】
【発明が解決しようとする課題】
【０００４】
一方、近年では、便器洗浄の節水化に伴って、便器洗浄に使用可能な洗浄水量が、例えば、３．８Ｌ程度の規定量まで低減されているが、操作部の操作時間の長さによっては、排水弁の開弁時間が、規定量以内の洗浄水量による便器洗浄が可能な排水弁の開弁時間よりも長くなってしまうため、規定量以内の洗浄水量で管理した便器洗浄が難しいという問題がある。
また、動作状態に関わらず操作部及びプーリが互いに常時連結され、操作部が手動により操作されるような上述した従来の洗浄水タンク装置用の操作装置においては、操作部の操作時間を短くすることは限界があり、操作性や使いやすさも損なわれるという問題もある。
さらに、従来、洗浄水タンク装置用の操作装置において、便器洗浄を開始する毎に、操作部を引き上げるような回転操作が行われるか、或いは、操作部を押し下げるように回転操作が行われることにより、操作ワイヤが所定の開弁方向に回転するプーリに巻き上げられて排水弁体が開弁し、その後、操作ワイヤが所定の閉弁方向に回転するプーリ巻き戻されて排水弁体が閉弁することになる。
特に、排水弁体を全開操作した後の操作部については、自重のみにより次回の排水弁の開弁操作が開始可能な初期位置に向かって戻るようになっているが、操作部が比較的低速でゆっくりと戻る場合には、操作部やプーリに連結されている回転軸の摺動抵抗や、その他の関連機能部の抵抗等が大きく影響しやすくなるため、操作部が初期位置に必ずしも正確に復帰することができない場合がある。したがって、便器洗浄毎に繰り返して正確な操作が可能な操作装置の操作性能を維持する妨げとなっているという問題がある。
【０００５】
そこで、本発明は、上述した従来技術の問題を解決するためになされたものであり、一連の便器洗浄操作が終了する毎に操作部を初期位置に速やかに且つ確実に復帰させることができる洗浄水タンク装置用の操作装置を提供することを目的としている。
【課題を解決するための手段】
【０００６】
上記の目的を達成するために、本発明は、便器に洗浄水を供給する洗浄水タンク装置の排水弁を開弁操作することにより便器への洗浄水の供給を開始させる洗浄水タンク装置用の操作装置であって、洗浄水を貯える洗浄水タンク装置の洗浄水タンクの内側から外側まで貫くように延びる回転軸と、上記洗浄水タンクの外側に位置する上記回転軸の外側端部に取り付けられて上記回転軸を回転操作する便器洗浄操作用の操作部と、一端側が上記洗浄水タンク装置の排水弁に連結される連結部材と、上記洗浄水タンクの内側に位置する上記回転軸の内側端部に取り付けられると共に、上記連結部材の他端側が連結され、上記操作部の回転操作により上記連結部材を上記排水弁の閉弁位置に相当する第１操作位置から上記排水弁の全開位置に相当する第２操作位置まで移動させて上記排水弁を開弁駆動させる駆動ユニットと、を有し、この駆動ユニットは、上記回転軸に固定されて上記回転軸の回転と共に一体的に回動する回動部と、上記連結部材の他端側が連結されて上記回転軸及び上記回動部が上記排水弁を開弁させる開弁方向に回転しているときは上記回動部と係合して上記回動部と共に上記第１操作位置から上記第２操作位置まで所定の開弁方向に回転し、上記連結部材を所定量だけ巻き取る回転巻取部材と、上記回転巻取部材が上記第１操作位置から上記所定の開弁方向に回転して上記第２操作位置に到達するまで上記回動部と上記回転巻取部材とを互いに係止する係止手段と、上記回動部及び上記回転巻取部材のそれぞれが上記第１操作位置からそれぞれの上記所定の開弁方向に回転して上記第２操作位置に到達すると、上記回動部と上記回転巻取部材との係止を解除し、上記操作部の操作に関わらず上記回転巻取部材を上記所定の開弁方向とは反対の所定の閉弁方向に回転させて上記第１操作位置に移動させる係止解除手段と、上記回動部が上記第２操作位置に到達した際に、上記回動部を上記第１操作位置である便器洗浄操作が開始可能な初期位置に復帰させるように付勢する初期位置復帰用の付勢手段と、を備えていることを特徴としている。
このように構成された本発明においては、便器に洗浄水を供給する洗浄水タンク装置の排水弁を開弁操作することにより便器への洗浄水の供給を開始させる際に、便器洗浄操作用の操作部について排水弁の閉弁位置に相当する第１操作位置から排水弁の全開位置に相当する第２操作位置まで回転操作すると、この操作部と共に回転軸が排水弁を開弁させる開弁方向に回転し、この回転軸と共に駆動ユニットの回動部が第１操作位置から第２操作位置まで一体的に回動する。このとき、駆動ユニットの回転巻取部材が係止手段により回動部に係止されているため、回転巻取部材についても、第１操作位置から所定の開弁方向に回転して第２操作位置に到達するまで回動部と共に回転するため、排水弁と駆動ユニットの回転巻取部材とを連結する連結部材が回転巻取部材により巻き取られることにより、排水弁が閉弁位置から開弁方向に移動し、洗浄水タンクから便器に洗浄水が供給される。そして、回動部及び回転巻取部材のそれぞれが第１操作位置からそれぞれの所定の開弁方向に回転して第２操作位置に到達し、排水弁と駆動ユニットの回転巻取部材とを連結する連結部材が回転巻取部材により所定量だけ巻き取られると、この巻き取られた連結部材の所定量だけ排水弁が閉弁位置から全開位置まで移動すると同時に、係止解除手段が回動部と回転巻取部材との係止を解除し、操作部の操作に関わらず回転巻取部材が所定の開弁方向とは反対の所定の閉弁方向に回転して第１操作位置に移動する。すなわち、排水弁の開弁操作が開始され、排水弁が一旦全開位置まで移動すると、操作部の操作に関わらず、少なくとも回転巻取部材及び連結部材が速やかに第１操作位置に移動して排水弁を閉弁させることができるため、便器洗浄毎に洗浄水タンクから便器に供給される洗浄水量を規定量で管理した便器洗浄が可能となる。
また、係止解除手段により、排水弁の開弁操作を開始してから閉弁するまでの時間（排水弁の開弁時間）を短縮することができ、便器洗浄に要する規定の洗浄水量を比較的少なく設定することもできるため、便器洗浄の節水化を実現することができる。
さらに、回動部についても、回転巻取部材と共に第２操作位置に到達した際に、回動部を第１操作位置である便器洗浄操作が開始可能な初期位置に復帰させるように付勢する初期位置復帰用の付勢手段の付勢力により、次回の便器洗浄操作（排水弁の開弁操作）が開始可能な初期位置まで確実に復帰させることができる。
これらの結果、操作部及び回動部のそれぞれについて、一連の便器洗浄操作が終了する毎に次回の便器洗浄操作（排水弁の開弁操作）に備えて、便器洗浄操作（排水弁の開弁操作）が開始可能な初期位置に速やかに且つ確実に復帰させることができる。
【０００７】
本発明において、好ましくは、上記駆動ユニットの回動部は、上記回転軸に固定された駆動側回動部と、この駆動側回動部の駆動により従動可能な従動側回動部と、を備えており、上記初期位置復帰用の付勢手段は、上記駆動側回動部及び上記従動側回動部の少なくとも一方に設けられている。
このように構成された本発明においては、駆動ユニットの回動部が、回転軸に固定された駆動側回動部と、この駆動側回動部の駆動により従動可能な従動側回動部とを備えており、初期位置復帰用の付勢手段が、駆動側回動部及び従動側回動部の少なくとも一方に設けられていることにより、駆動側回動部が、回転巻取部材と共に第２操作位置に到達した際に、少なくとも駆動側回動部について、次回の便器洗浄操作（排水弁の開弁操作）が開始可能な初期位置まで確実に復帰させることができる。
これらの結果、便器洗浄操作用の操作部及び回動部のそれぞれについて、一連の便器洗浄操作が終了する毎に次回の便器洗浄操作（排水弁の開弁操作）に備えて、便器洗浄操作（排水弁の開弁操作）が開始可能な初期位置に速やかに且つ確実に復帰させることができる。
【０００８】
本発明において、好ましくは、上記駆動側回動部は、上記回転軸に固定された駆動側回動部材を備えており、上記従動側回動部は、上記駆動側回動部材と係合可能な第１従動側回動部材と、この第１従動側回動部材と係合可能な第２従動側回動部材と、を備えており、上記初期位置復帰用の付勢手段は、上記第２従動側回動部材に設けられている。
このように構成された本発明においては、駆動側回動部が、回転軸に固定された駆動側回動部材を備えており、従動側回動部が、駆動側回動部材と係合可能な第１従動側回動部材と、この第１従動側回動部材と係合可能な第２従動側回動部材とを備えており、初期位置復帰用の付勢手段が第２従動側回動部材に設けられていることにより、駆動側回動部材が、回転巻取部材と共に第２操作位置に到達した際に、第２従動側回動部材について、次回の便器洗浄操作（排水弁の開弁操作）が開始可能な初期位置まで確実に復帰させることができる。
同時に、第２従動側回動部材に係合する第１従動回動部材、並びに、この第１従動回動部材に係合する駆動側回動部材のそれぞれについても、次回の便器洗浄操作（排水弁の開弁操作）が開始可能な初期位置まで確実に復帰させることができる。
これらの結果、便器洗浄操作用の操作部、駆動側回動部材、第１従動側回動部材、及び第２従動側回動部材のそれぞれについて、一連の便器洗浄操作が終了する毎に次回の便器洗浄操作（排水弁の開弁操作）に備えて、便器洗浄操作（排水弁の開弁操作）が開始可能な初期位置に速やかに且つ確実に復帰させることができる。
さらに、駆動側回動部材と、この駆動側回動部材と係合可能な第１従動側回動部材と、この第１従動側回動部材と係合可能な第２従動側回動部材により、各回動部材を互いに同一平面内にずらして配置することもできるため、各回動部材を互いに駆動ユニットにおける回転軸の軸方向に配置した構造に比べて、駆動ユニットの回転軸の軸方向のスペースを小さくすることができ、駆動ユニットの回転軸の軸方向に配置される洗浄水タンク内の内部機器等との干渉を防ぐことができる。
【０００９】
また、本発明は、上記洗浄水タンク装置用の操作装置を備えた洗浄水タンク装置である。
このように構成された本発明においては、便器洗浄操作用の操作部について、一連の便器洗浄操作が終了する毎に次回の便器洗浄操作（排水弁の開弁操作）に備えて、便器洗浄操作（排水弁の開弁操作）が開始可能な初期位置に速やかに且つ確実に復帰させることができる洗浄水タンク装置を提供することができる。
【００１０】
さらに、本発明において、好ましくは、上記洗浄水タンク装置を備えた水洗大便器である。
このように構成された本発明においては、便器洗浄操作用の操作部について、一連の便器洗浄操作が終了する毎に次回の便器洗浄操作（排水弁の開弁操作）に備えて、便器洗浄操作（排水弁の開弁操作）が開始可能な初期位置に速やかに且つ確実に復帰させることができる水洗大便器を提供することができる。
【発明の効果】
【００１１】
本発明の洗浄水タンク装置用の操作装置によれば、一連の便器洗浄操作が終了する毎に操作部を初期位置に速やかに且つ確実に復帰させることができる。
【図面の簡単な説明】
【００１２】
【図１】本発明の一実施形態による洗浄水タンク装置用の操作装置を備えた洗浄水タンク装置が適用された水洗大便器において、便座及び便蓋を取り外した状態を示す斜視図である。
【図２】本発明の一実施形態による洗浄水タンク装置用の操作装置を備えた洗浄水タンク装置の内部構造を示す正面断面図である。
【図３】本発明の一実施形態による洗浄水タンク装置用の操作装置を示す分解斜視図である。
【図４】本発明の一実施形態による洗浄水タンク装置用の操作装置を示す平面断面図である。
【図５】図３のＶ−Ｖ線に沿った断面図であり、本発明の一実施形態による洗浄水タンク装置用の操作装置の操作ハンドル、駆動ユニット及び操作ワイヤにおいて、排水弁本体が閉弁している操作開始前及び操作完了後の待機状態を示す。
【図６】本発明の一実施形態による洗浄水タンク装置用の操作装置の操作ハンドル、駆動ユニット及び操作ワイヤにおいて、排水弁本体が開弁途中である操作状態を示す、図５と同様な断面図である。
【図７】本発明の一実施形態による洗浄水タンク装置用の操作装置の操作ハンドル、駆動ユニット及び操作ワイヤにおいて、排水弁本体が全開したときの操作状態を示す、図５と同様な断面図である。
【図８】本発明の一実施形態による洗浄水タンク装置用の操作装置の駆動ユニットの駆動側の回動部材及び回転巻取部材のそれぞれについて軸方向内側（正面側）を斜め上方から見た斜視図である。
【図９】本発明の一実施形態による洗浄水タンク装置用の操作装置の駆動ユニットの駆動側の回動部材及び回転巻取部材のそれぞれについて軸方向外側（背面側）を斜め上方から見た斜視図である。
【図１０】図７のＸ−Ｘ線に沿った断面図である。
【図１１】図８のＸＩ−ＸＩ線に沿った断面図である。
【図１２】本発明の一実施形態による洗浄水タンク装置用の操作装置の操作ハンドル、駆動ユニット及び操作ワイヤにおいて、駆動ユニットの駆動側の回動部材と回転巻取部材との係止が解除されて回転巻取部材のみが待機状態に回復した状態を示す、図５と同様な断面図である。
【図１３】本発明の一実施形態による洗浄水タンク装置用の操作装置の操作ハンドル、駆動ユニット及び操作ワイヤにおいて、駆動ユニットの駆動側の回動部材と回転巻取部材との係止が解除されて回転巻取部材のみが待機状態に回復した後、駆動側の回動部材が初期位置に復帰する前に、その係止用の突出部が回動巻取部材側の係止突起を乗り越える直前の状態を示す、図５と同様な断面図である。
【図１４】本発明の一実施形態による洗浄水タンク装置用の操作装置の駆動ユニットの第２ギヤに組み付けられた状態の戻りばねを軸方向外側（背面側）から見た概略斜視図である。
【発明を実施するための形態】
【００１３】
以下、添付図面を参照して、本発明の一実施形態による洗浄水タンク装置用の操作装置、この操作装置を備えた洗浄水タンク装置、及び、この洗浄水タンク装置を備えた水洗大便器について説明する。
まず、図１により、本発明の一実施形態による洗浄水タンク装置用の操作装置を備えた洗浄水タンク装置が適用された水洗大便器について説明する。
図１は、本発明の一実施形態による洗浄水タンク装置用の操作装置を備えた洗浄水タンク装置が適用された水洗大便器において、便座及び便蓋を取り外した状態を示す斜視図である。
【００１４】
図１に示すように、本発明の一実施形態による洗浄水タンク装置用の操作装置１は、便器洗浄用の洗浄水が貯水される洗浄水タンク装置２に設けられており、この洗浄水タンク装置２から水洗大便器４に洗浄水が供給されて便器洗浄を開始させるときの操作を行うものである。
まず、洗浄水タンク装置用の操作装置１が設けられた洗浄水タンク装置２が適用される水洗大便器４は、例えば、３．８リットル〜５．２リットルの洗浄水で洗浄する、節水型のサイホン式の水洗大便器であり、陶器製の便器本体６を備えている。この便器本体６には、ボウル部８と、このボウル部８の下部と連通するトラップ管路（図示せず）がそれぞれ形成されている。
また、便器本体６のボウル部８の上縁部には、内側にオーバーハングしたリム１０と、便器本体６の後方側の内部に形成される導水路（図示せず）から供給される洗浄水を吐水する吐水口１２が形成され、この吐水口１２から吐水された洗浄水は、旋回しながら下降してボウル部８を洗浄するようになっている。
さらに、便器本体６の後方側の上面には、便器本体６に供給する洗浄水を貯水する洗浄水タンク装置２が設けられている。
なお、本実施形態では、水洗大便器４として、サイホン作用を利用してボウル部８内の汚物を吸い込んで排水トラップ管路（図示せず）から一気に外部に排出する、いわゆる、サイホン式の水洗大便器４に洗浄水タンク装置２を適用した例について説明するが、このようなサイホン式の水洗大便器に限定されず、ボウル部内の水の落差による流水作用で汚物を押し流す、いわゆる、洗い落し式の水洗大便器等の他のタイプの水洗大便器にも適用可能である。
【００１５】
つぎに、図２により、洗浄水タンク装置２の内部構造について説明する。
図２は、本発明の一実施形態による洗浄水タンク装置用の操作装置を備えた洗浄水タンク装置の内部構造を示す正面断面図である。
図２に示すように、洗浄水タンク装置２は、水洗大便器４を洗浄する洗浄水を貯水する貯水タンク１４を備え、この貯水タンク１４の底部１４ａには、便器本体６の導水路１６と連通する排水路１８が形成され、貯水タンク１４内の洗浄水が便器本体６の導水路１６へと供給されるようになっている。また、貯水タンク１４は、便器の種類に応じて、貯水する洗浄水の量が異なっている。
【００１６】
また、図２に示すように、洗浄水タンク装置２の貯水タンク１４内には、この貯水タンク１４内に洗浄水を供給する給水装置２０と、排水路１８の上縁部に形成された排水口１８ａを開放することにより貯水タンク１４内の洗浄水を便器本体６の導水路１６に流出させる排水弁装置２２が設けられている。
【００１７】
給水装置２０は、外部の給水源（図示せず）に接続され貯水タンク１４の底部から上方に延びる給水管２４と、この給水管２４の上端部に取り付けられ、給水管２４から給水される洗浄水の貯水タンク１４内への吐水と止水を切り替える給水バルブ２６と、貯水タンク１４内の水位の変動に応じて上下動して給水バルブ２６による吐水と止水を切り替えるフロート２８とを備えている。
【００１８】
給水管２４の外周側下端部には、吐水口３０が開口し、給水バルブ２６からの洗浄水がこの吐水口３０から貯水タンク１４内に吐水されるようになっている。
給水装置２０は、更に、給水バルブ２６に接続されたリフィール管３２を備え、このリフィール管３２の下流端部は、排水弁装置２２のオーバーフロー管３４の上端開口の上方近傍に位置するように、リフィール管３２の一部がオーバーフロー管３４又は貯水タンク１４内の所定箇所に固定されている。
【００１９】
また、排水弁装置２２により貯水タンク１４内の洗浄水が、満水時の所定水位ＷＬとその下方の停止水位（又は死水水位）ＤＷＬとの差に相当する洗浄水量が便器に排水されるようになっており、給水装置２０においては、洗浄水の水位が低下してフロート２８が下降し、それにより給水バルブ２６が開き、吐水口３０からの吐水が開始し、洗浄水タンク装置２の外部の給水源（図示せず）から貯水タンク１４内への吐水が開始されるようになっている。
さらに、吐水が継続されて貯水タンク１４内の水位が上昇すると、フロート２８が上昇し、それにより給水バルブ２６が閉じ、吐水口３０からの吐水が止水される。これにより、貯水タンク１４内の洗浄水の水位が満水時の所定水位ＷＬに維持されるようになっている。
【００２０】
つぎに、排水弁装置２２は、上下動することにより排水口１８ａを開閉する排水弁本体３６を内部に備えた、いわゆる、直動式の排水弁装置である。この直動式の排水弁装置２２は、従来の排水弁装置の構成と同様であるため、具体的な説明は省略するが、排水弁本体３６の上端部３６ａには、詳細は後述する操作装置１の操作ワイヤ３８の一端部３８ａが連結されており、操作ワイヤ３８の他端部３８ｂは、詳細は後述する操作装置１の駆動ユニット４０の一部に連結されている。
また、操作ワイヤ３８が移動する移動量は、排水弁本体３６の下端部の弁体４２の上下方向の移動量に対応するようになっており、詳細は後述する操作装置１の便器洗浄操作用の操作部である操作ハンドル４４を使用者が回転操作により駆動ユニット４０が駆動すると、操作ワイヤ３８が引き上げられることにより、弁体４２が引き上げられて排水口１８ａが所定時間開放され、貯水タンク１４内の洗浄水が排水口１８ａから排水路１８を経て便器本体６の導水路１６に一定量排出され、便器洗浄が行われるようになっている。
なお、図２においては、閉弁位置Ｈ１で排水口１８ａを閉止している状態の排水弁本体３６の弁体４２を実線で示している。また、閉弁位置Ｈ１よりも上方の開弁途中位置Ｈ２で排水口１８ａを開放している状態の排水弁本体３６の弁体４２、及び開弁途中位置Ｈ２よりもさらに上方で全開となっている最高開弁位置（全開位置）Ｈ３で排水口１８ａを開放している状態の排水弁本体３６の弁体４２のそれぞれを鎖線で示している。
【００２１】
つぎに、図２〜図１４を参照して、本発明の一実施形態による洗浄水タンク装置用の操作装置の詳細について説明する。
まず、図３は、本発明の一実施形態による洗浄水タンク装置用の操作装置を示す分解斜視図であり、図４は、本発明の一実施形態による洗浄水タンク装置用の操作装置を示す平面断面図である。
図２〜図４に示すように、本発明の一実施形態による操作装置１は、貯水タンク１４の内側から外側まで貫くように延びる回転軸４６を備えており、この回転軸４６は、貯水タンク１４外側の便器前方から見て左側且つ上方の側壁部１４ｂに水平方向に貫くように形成された取付穴１４ｃに挿入され、回転可能に取り付けられている。
また、貯水タンク１４の外側に位置する回転軸４６の外側端部４６ａには、操作ハンドル４４が固定して取り付けられており、この操作ハンドル４４は、便器前方側から見て貯水タンク１４の左側側部に配置されている。そして、この操作ハンドル４４は、その下方に延びる摘み部４４ａを摘まんで、洗浄水タンク装置２の正面から見て前方側に引き上げることにより、操作ハンドル４４を所定の開弁方向である正回転方向αに回転させると、回転軸４６が操作ハンドル４４と一体となって回転軸４６の中心軸線Ａ１を中心に回転可能となっている、いわゆる、「プル式の操作ハンドル」である。
さらに、図３及び図４に示すように、操作装置１は、操作ハンドル４４と貯水タンク１４の側壁部１４ｂの取付穴１４ｃとの間に設けられて、回転軸４６を回転可能に支持する支持部材４８と、この支持部材４８と駆動ユニット４０のケーシング５０とを固定する留め具５２，５４とを備えている。
【００２２】
つぎに、図３及び図４に示すように、駆動ユニット４０は、ケーシング５０と、このケーシング５０に覆うように取り付けられているカバー部材５６とを備えている。これらのケーシング５０とカバー部材５６との間に設けられる内部構造として、回転軸４６に固定された回動部である駆動側の回動部材５８（詳細は後述する）及び回転巻取部材６０（詳細は後述する）が設けられており、この回転巻取部材６０（詳細は後述する）の一部には、チューブ６２から延びる操作ワイヤ３８の他端部３８ｂが連結されている。
また、図３及び図４に示すように、駆動ユニット４０の内部構造として、回転巻取部材６０に設けられて回動部材５８に回転巻取部材６０を係止する係止手段である係止突起６４（詳細は後述する）及び薄板ばね６６（詳細は後述する）が設けられており、また、回転巻取部材６０の背面側には戻りばね６８（詳細は後述する）が設けられている。
【００２３】
さらに、図３及び図４に示すように、駆動ユニット４０の内部構造として、駆動側の回動部材５８に取り付けられて回転軸４６に対して固定されている駆動側回動部材である第１ギヤ７０（詳細は後述する）と、この第１ギヤ７０と係合可能な第１従動側回動部材である第２ギヤ７２（詳細は後述する）と、この第２ギヤ７２と係合可能な第２従動側回動部材である第３ギヤ７４（詳細は後述する）とを備えている。
また、図３及び図４に示すように、第３ギヤ７４の大ギヤ７４ａの軸方向背面側には、戻りばね７６（詳細は後述する）が設けられている
【００２４】
つぎに、図５は、図３のＶ−Ｖ線に沿った断面図であり、本発明の一実施形態による洗浄水タンク装置用の操作装置の操作ハンドル、駆動ユニット及び操作ワイヤにおいて、排水弁本体が閉弁している操作開始前及び操作完了後の待機状態を示し、図６は、本発明の一実施形態による洗浄水タンク装置用の操作装置の操作ハンドル、駆動ユニット及び操作ワイヤにおいて、排水弁本体が開弁途中である操作状態を示す、図５と同様な断面図であり、図７は、本発明の一実施形態による洗浄水タンク装置用の操作装置の操作ハンドル、駆動ユニット及び操作ワイヤにおいて、排水弁本体が全開したときの操作状態を示す、図５と同様な断面図である。
図２〜図５に示すように、操作装置１の駆動ユニット４０は、貯水タンク１４の内側に位置する回転軸４６の内側端部４６ｂ及び支持部材４８の内側端部に取り付けられている。
また、図２、図５〜図７に示すように、駆動ユニット４０は、操作ハンドル４４の回転操作により、操作ワイヤ３８について、排水弁本体３６の弁体４２の閉弁位置Ｈ１（図２参照）に相当する操作開始前の待機状態の操作位置Ｐ１（図５参照）、すなわち、便器洗浄操作が開始可能な初期位置Ｐ１から、排水弁本体３６の弁体４２の開弁途中位置Ｐ２（図２に参照）に相当する操作位置Ｐ２（図６参照）を経て、排水弁本体３６の弁体４２の全開位置Ｈ３（図２に参照）に相当する操作位置Ｐ３（図７参照）まで移動させることができるようになっている。
【００２５】
つぎに、図３〜図７に示すように、駆動ユニット４０の回動部材５８は、ケーシング５０及びカバー部材５６に内蔵されて回転軸４６の内側端部４６ｂに固定されている。
なお、本実施形態では、回転軸４６と駆動側の回動部材５８とが別部材である形態について説明するが、両者４６，５８とが互いに一体に形成された部材であってもよい。
また、図３〜図７に示すように、駆動ユニット４０の回転巻取部材６０は、回動部材５８に対して中心軸線Ａ１回りに回転可能に取り付けられると共に、操作ワイヤ３８の他端部３８ｂが連結されて、正回転方向α（図６に示す平面視で時計回り（右回り）の方向）に回転することにより、操作ワイヤ３８を所定量だけ巻き取り可能なプーリからなる。
これらの回動部材５８及び回転巻取部材６０については、操作ハンドル４４の回転操作により、操作開始前の待機状態の操作位置Ｐ１（図５参照）から、途中の操作位置Ｐ２（図６参照）を経て、操作位置Ｐ３（図７参照）まで移動させることができるようになっている。
【００２６】
つぎに、図８は、本発明の一実施形態による洗浄水タンク装置用の操作装置の駆動ユニットの回動部材及び回転巻取部材のそれぞれについて軸方向内側（正面側）を斜め上方から見た斜視図であり、図９は、本発明の一実施形態による洗浄水タンク装置用の操作装置の駆動ユニットの回動部材及び回転巻取部材のそれぞれについて軸方向外側（背面側）を斜め上方から見た斜視図である。
図２〜図９に示すように、操作ワイヤ３８については、ステンレス等の金属製からなり、可撓性のチューブ６２の中を通されて、このチューブ６２に対して摺動可能となっている。
また、チューブ６２の一端部６２ａは、排水弁装置２２の外装ケーシング２２ａ（図２参照）の上端部に接続されて固定されており、チューブ６２の他端部６２ｂは、ケーシング５０及びカバー部材５６の側壁部下方に設けられたチューブ接続部５０ａ，５６ａ（図３及び図５参照）に接続されて固定されている。
さらに、図３及び図５〜図９に示すように、チューブ６２の他端部６２ｂから外側に延びている操作ワイヤ３８の他端部３８ｂは、突起状に形成されており、ほぼ扇形の回転巻取部材６０の外周部における正回転方向αの前端部付近に設けられた操作ワイヤ用の取付穴６０ａに挿入されて嵌合されている。
【００２７】
また、図８及び図９に示すように、回転巻取部材６０の外周部には、その周方向に沿って操作ワイヤ３８をガイドするためのガイド溝６０ｂが周方向に沿って形成されている。
操作ハンドル４４の回転操作により、回動部材５８と共に回転巻取部材６０を操作開始前の待機状態の操作位置Ｐ１（図５参照）から、途中の操作位置Ｐ２（図６参照）を経て、操作位置Ｐ３（図７参照）まで移動させると、操作ワイヤ３８が、ガイド溝６０ｂに沿って所定の巻き取り量だけ巻き取られてチューブ６２に対して移動し、その分、排水弁本体３６の弁体４２が所定量だけ引き上げられるようになっている。
例えば、操作ワイヤ３８が、図７に示すように、回転巻取部材６０によって最大巻き取り量Ｌ１だけ巻き取られた場合には、図２に示すように、排水弁本体３６の弁体４２が最高開弁位置（全開位置）Ｈ３まで上昇するようになっている。
なお、図５及び図６に示す回動部材５８及び回転巻取部材６０においては、互いに係止された状態を示しており、図７に示す回動部材５８及び回転巻取部材６０においては、互いの係止が解除される直前の状態を示している。
【００２８】
また、図９に示すように、薄板ばね６６は、一端側が回転巻取部材６０の背面６０ｃに固定された固定端部６６ａと、他端側に係止突起６４が取り付けられた自由端部６６ｂとを備えている。
さらに、図４〜図９に示すように、回転巻取部材６０には、軸方向に貫くように係止突起用の取付穴６０ｄが形成されており、係止突起６４は、係止突起用の取付穴６０ｄに回転巻取部材６０の背面側から正面側に向かって摺動可能に挿入されている。
ここで、係止突起６４が取付穴６０ｄに挿入された状態では、薄板ばね６６の自由端部６６ｂから係止突起６４に対して、回転巻取部材６０の背面側から正面側に向かって軸方向の付勢力Ｆ１（図９参照）が常時作用するようになっている。これにより、回動部材５８及び回転巻取部材６０が操作位置Ｐ１（図５参照）から、正回転方向αに回転して操作位置Ｐ２（図６参照）を経て、操作位置Ｐ３（図７参照）に到達するまで、付勢力Ｆ１により係止突起６４の先端部６２ａが回転巻取部材６０の取付穴６０ｄから突出した状態となっている。
【００２９】
つぎに、図３〜図９に示すように、回動部材５８は、その外周部の一部から径方向外側に突出するように形成された係止用の突出部５８ａを備えている。
また、係止突起６４の先端部６４ａが回転巻取部材６０の取付穴６０ｄから突出した状態では、回動部材５８の係止用の突出部５８ａは、その正回転方向αの前端部が係止突起６４の先端部６４ａの後端側と当接することにより、回転巻取部材６０と回動部材５８とが互いに係止されるようになっている。
【００３０】
つぎに、図１０は、図７のＸ−Ｘ線に沿った断面図であり、図１１は、図８のＸＩ−ＸＩ線に沿った断面図である。
図７、図１０及び図１１に示すように、ケーシング５０内には、回転巻取部材６０が操作位置Ｐ３に到達した際に係止突起６４と係合することにより、回転巻取部材６０と回動部材５８との係止を解除する係止解除用の突出部５０ｂが設けられている。
回動部材５８及び回転巻取部材６０が操作位置Ｐ１（図５参照）から、正回転方向αに回転して操作位置Ｐ２（図６参照）を経て、操作位置Ｐ３（図７参照）に到達すると、図１１に示すように、係止突起６４の先端部６４ａにおける正回転方向αの前方側の傾斜面６４ｂが、係止解除用の突出部５０ｂにおける下方側且つ後方側の傾斜面５０ｃに当接して接触することにより、係止突起６４が係止解除用の突出部５０ｂにより下方に押圧されるようになっている。
このとき、係止突起６４おいては、係止解除用の突出部５０ｂによる図１１に示す下向きの押圧力Ｆ２が、薄板ばね６６による図１１に示す上向きの付勢力Ｆ１を上回るため、係止突起６４の先端部６４ａは、突出した状態から取付穴６０ｄの中に引っ込み、回動部材５８の係止用の突出部５８ａ（図１０参照）との係止が解除されるようになっている。
【００３１】
また、図７に示すように、操作位置Ｐ３の係止突起６４と係合している回動部材５８の係止用の突出部５８ａの上端５８ｂとケーシング５０の係止解除用の突出部５０ｂの下端部５０ｄとは、上下方向に所定距離ｄで互いに離間している。
これにより、回動部材５８の係止用の突出部５８ａに係合している係止突起６４の係合部分と、ケーシング５０の係止解除用の突出部５０ｂに係合している係止突起６４の係合部分とが、互いに離間しているため、回動部材５８の係止用の突出部５８ａとケーシング５０の係止解除用の突出部５０ｂとが互いに衝突することを防ぐことができるようになっている。
【００３２】
つぎに、図１２は、本発明の一実施形態による洗浄水タンク装置用の操作装置の操作ハンドル、駆動ユニット及び操作ワイヤにおいて、駆動ユニットの回動部材と回転巻取部材との係止が解除されて回転巻取部材のみが待機状態に回復した状態を示す、図５と同様な断面図である。
図３、図４、図８及び図９に示すように、駆動ユニット４０は、回転巻取部材６０の背面側に設けられた戻りばね６８を備えており、この戻りばね６８は、その一端部がケーシング５０内の一部に固定されたねじりコイルばねである。
なお、本実施形態では、ねじりコイルばねからなる戻りばね６８を採用した形態について説明するが、ねじりコイルばね以外のばね要素を採用してもよい。
また、回転巻取部材６０が操作位置Ｐ１（図５参照）から、正回転方向αに回転して操作位置Ｐ２（図６参照）を経て、操作位置Ｐ３（図７参照）に到達して、回転巻取部材６０と回動部材５８との係止が解除されると、戻りばね６８のねじりモーメントにより回転巻取部材６０が所定の閉弁方向である逆回転方向βに回転するように付勢されているため、回転巻取部材６０のみが、正回転方向αとは反対方向である逆回転方向β（図１２に示す平面視で反時計回り（左回り）の方向）に回転して待機状態の操作位置Ｐ４（図１２参照）に戻ることができるようになっている。
すなわち、図１２に示すように、回転巻取部材６０と回動部材５８との係止が解除された状態では、操作ハンドル４４及び回動部材５８の操作位置Ｐ４が、図７に示す操作ハンドル４４及び回動部材５８の操作位置Ｐ３と同一位置に維持されていても、このような操作ハンドル４４や回動部材５８の操作位置に関わらず、回転巻取部材６０及び操作ワイヤ３８のみが待機状態の操作位置Ｐ４に戻ることができるため、排水弁本体３６の弁体４２は、貯水タンク１４内の水位の低下と共に閉弁位置Ｈ１（図２参照）まで下降し、排水口１８ａを閉止することができるようになっている。
【００３３】
つぎに、回動部材５８の係止用の突出部５８ａは、図１０に示すように、正回転方向αに向かって後方側且つ下方側の面が傾斜面５８ｃを形成している。これにより、図７及び図１０に示すように、回動部材５８と回転巻取部材６０との係止が操作位置Ｐ３で解除され、図１２に示すように、回転巻取部材６０が操作位置Ｐ４に戻った後、さらに、図５に示すように回動部材５８が待機状態の操作位置Ｐ１に戻る際に、回動部材５８の係止用の突出部５８ａの傾斜面５８ｃが係止突起６４の傾斜面６４ｂと対向して係合し、薄板ばね６６の付勢力Ｆ１に反して係止突起６４を押圧し、回動部材５８の係止用の突出部５８ａが、正回転方向αに向かって係止突起６４の後方側（図５における係止突起６４の下方側）に乗り越えることができるようになっている。
【００３４】
つぎに、図３〜図７及び図１２〜図１４を参照して、本実施形態の操作装置１の駆動ユニット４０における第１ギヤ７０、第２ギヤ７２、第３ギヤ７４、及び戻りばね７６について、具体的に説明する。
図１３は、本発明の一実施形態による洗浄水タンク装置用の操作装置の操作ハンドル、駆動ユニット及び操作ワイヤにおいて、駆動ユニットの駆動側の回動部材と回転巻取部材との係止が解除されて回転巻取部材のみが待機状態に回復した後、駆動側の回動部材が初期位置に復帰する前に、その係止用の突出部が回動巻取部材側の係止突起を乗り越える直前の状態を示す、図５と同様な断面図である。
また、図１４は、本発明の一実施形態による洗浄水タンク装置用の操作装置の駆動ユニットの第２ギヤに組み付けられた状態の戻りばねを軸方向外側（背面側）から見た概略斜視図である。
【００３５】
まず、図３〜図７及び図１２〜図１４に示すように、第１ギヤ７０は、ほぼ円筒状の駆動側の回動部材５８の外周面における係止用の突出部５８ａに対して回動部材５８の軸方向の先端側に取り付けられている。
図３、図５〜図７、図１２及び図１３に示すように、回動部材５８の外周面の一部には、係止用の突出部５８ａ以外にも、さらなる嵌合用の突起５８ｄが径方向外側に突出して形成されている。
また、回動部材５８の外周面の突起５８ｄと対向する第１ギヤ７０の内周面には、軸方向に延びる嵌合用のキー溝７０ａが形成されており、第１ギヤ７０が回動部材５８の外周面に取り付けられた状態では、回動部材５８の外周面の突起５８ｄと第１ギヤ７０のキー溝７０ａとが互いに嵌合することにより第１ギヤ７０が回動部材５８に固定され、これら第１ギヤ７０及び回動部材５８が回転軸４６と一体的に回転可能となっている。
なお、本実施形態では、回転軸４６、駆動側の回動部材５８、及び第１ギヤ７０のそれぞれが互いに対して別部材である形態について説明するが、これら３つの部材４６，５８，７０が一体に形成された駆動側回動部材を採用してもよいし、回転軸４６以外の回動部材５８及び第１ギヤ７０が一体に形成された駆動側回動部材を採用してもよい。
【００３６】
つぎに、図３〜図７及び図１２〜図１４に示すように、第２ギヤ７２は、ケーシング５０内に回動軸４６と軸方向に平行に延びるように形成された軸部５０ｅの中心軸線Ａ２を中心に回転可能に取り付けられている。この第２ギヤ７２は、第１ギヤ７０のみと噛み合い可能に配置されている。
また、図３〜図７及び図１２〜図１４に示すように、第３ギヤ７４は、ケーシング２５０内にその軸部５０ｅ及び回動軸４６と軸方向に平行に延びるように形成された軸部５０ｆの中心軸線Ａ３を中心に回転可能に取り付けられている。この第３ギヤ７４は、第２ギヤ７２のみと噛み合い可能に配置された大ギヤ７４ａと、この大ギヤ７４ｂに対して軸部５０ｆの先端側で一体に設けられた小ギヤ７４ｂとを備えている。
さらに、本実施形態では、第３ギヤ７４の小ギヤ７４ｂについては、他のギヤ７０，７２とも噛み合うことがないが、駆動ユニット４０の仕様に応じて第１ギヤ７０及び／又は第２ギヤ７２を別仕様のギヤ（図示せず）に付け替えたときに、これらの付け替えた別仕様のギヤ（図示せず）の少なくともいずれか１つと噛み合い可能なギヤとして利用することができるようになっている。
【００３７】
つぎに、図３〜図７及び図１２〜図１４に示すように、第３ギヤ７４の大ギヤ７４ａの軸方向背面側に設けられた戻りばね７６は、ねじりコイルばねからなる。この戻りばね７６は、大ギヤ７４ａの背面に円環状に形成された第３ギヤ７４のばね保持部７４ｃ内に嵌め込まれている。
また、図１４に示すように、戻りばね７６は、ケーシング５０内の一部に固定される一端側のアーム部７６ａと、第３ギヤ７４（大ギヤ７４ａ）の回転方向に応じて、ばね保持部７４ｃの周方向の両端の当接部７４ｄ，７４ｅのいずれか一方と当接可能な他端側のアーム部７６ｂとを備えている。
そして、戻りばね７６は、操作ハンドル４４、回転軸４６、回動部材５８のそれぞれが操作位置Ｐ３（図７参照）に到達した際に、操作位置Ｐ４（図１２参照）から操作位置Ｐ５（図１３参照）を経て操作位置Ｐ１である便器洗浄操作が開始可能な初期位置（初期位置Ｐ１）に復帰させるように第３ギヤ７４を付勢する初期位置復帰用の付勢手段として機能するようになっている。
すなわち、第３ギヤ７４が操作位置Ｐ３（図７参照）に到達後の戻りばね７６には、第３ギヤ７４に対して中心軸線Ａ３を中心に逆回転方向βに回転させようとするねじりモーメントＴ１が発生しており、この戻りばね７６のねじりモーメントＴ１による付勢力により、第３ギヤ７４が操作位置Ｐ４（図１２参照）から操作位置Ｐ５（図１３参照）を経て初期位置Ｐ１（図５参照）まで復帰することができるようになっている。
【００３８】
同時に、第３ギヤ７４が操作位置Ｐ３（図７参照）に到達後の第２ギヤ７２は、第３ギヤ７４の大ギヤ７４ａの回転に従動して中心軸線Ａ２を中心に正回転方向αに回転し、操作位置Ｐ４（図１２参照）から操作位置Ｐ５（図１３参照）を経て初期位置Ｐ１（図５参照）まで復帰することができるようになっている。
また、同時に、第１ギヤ７０が第２ギヤ７２の回転に従動して中心軸線Ａ１を中心に正回転方向βに回転し、操作位置Ｐ４（図１２参照）から操作位置Ｐ５（図１３参照）を経て初期位置Ｐ１（図５参照）まで復帰することができるようになっている。
さらに、同時に、第１ギヤ７０が操作位置Ｐ３（図７参照）に到達後の回動部材５８及び回転軸４６は、第１ギヤ７０と一体的に中心軸線Ａ１を中心に逆回転方向βに回転することにより操作位置Ｐ４（図１２参照）から操作位置Ｐ５（図１３参照）に移動するようになっている。
その後、回動部材５８の係止用の突出部５８ａは、戻りばね７６から第３ギヤ７４、第２ギヤ７２、及び第１ギヤ７０を介して伝達される付勢力により、操作位置Ｐ５（図１３参照）から回転巻取部材６０側の係止突起６４を乗り越えて、操作ハンドル４４、回転軸４６、回動部材５８のそれぞれが初期位置Ｐ１（図５参照）まで復帰することができるようになっている。
【００３９】
なお、本実施形態による操作装置１においては、図３〜図７及び図１２〜図１４に示すように、第２ギヤ７２に単一の戻りばね７６を設けた形態について説明するが、戻りばね７６については、駆動側の回動部材５８が初期位置（操作位置Ｐ１）に復帰可能であれば、第３ギヤ７４以外の他のギヤ７０，７２のいずれか１つに設けてもよいし、各ギヤ７０，７２，７４毎に設けてもよい。要するに、これらの複数のギヤ７０，７２，７４のうちの少なくとも１つに戻りばね７６が設けられていればよい。
また、本実施形態では、初期位置復帰用の付勢手段としては、ねじりコイルばねからなる戻りばね７６を採用した形態について説明するが、ねじりコイルばね以外のばね要素を採用してもよい。
【００４０】
つぎに、図１〜図１４を参照して、本発明の一実施形態による洗浄水タンク装置用の操作装置の動作（作用）について、説明する。
まず、便器洗浄を開始させる際、図２及び図５に示す待機状態の操作位置Ｐ１の操作ハンドル４４について、下方に延びる摘み部４４ａを使用者が摘まんで、図２に示す正面から見て前方側に操作位置Ｐ２（図６参照）を経て、操作位置Ｐ３（図７参照）まで引き上げて、操作ハンドル４４を正回転方向αに回転させると、回転軸４６及び回動部材５８が操作ハンドル４４と一体となって中心軸線Ａ１を中心に操作位置Ｐ３まで回転する。
また、図５及び図６に示すように、操作ハンドル４４が操作位置Ｐ１から操作位置Ｐ３に到達するまでの間では、回動部材５８の係止用の突出部５８ａにおける正回転方向αの前端部が係止突起６４における正回転方向αの後端部に当接することにより、回動部材５８と回転巻取部材６０とが係止されているため、回転巻取部材６０についても、操作ハンドル４４、回転軸４６、及び回動部材５８と一体となって中心軸線Ａ１を中心に回転する。
これにより、図７に示すように、操作ワイヤ３８が回転巻取部材６０によって最大巻き取り量Ｌ１だけ巻き取られ、図２に示すように、排水弁本体３６の弁体４２が閉弁位置Ｈ１から最高開弁位置（全開位置）Ｈ３まで上昇する。そして、図１及び図２に示すように、貯水タンク１４内の洗浄水が排水口１８ａから排水路１８を経て便器本体６の導水路１６に排水され、便器本体６の吐水口１２等からボウル部８内に洗浄水が供給され、便器洗浄が行われる。
同時に、係止突起６４がケーシング５０の係止解除用の突出部５０ｂに係合して、回動部材５８と回転巻取部材６０との係止が解除されるため、操作ハンドル４４の操作位置に関わらず、回転巻取部材６０が正回転方向αとは反対の逆回転方向βに回転して操作位置Ｐ４（図１２参照）に移動する。
そして、排水弁本体３６の弁体４２が貯水タンク１４内の洗浄水の水位の低下と共に閉弁位置Ｈ１まで下降し、貯水タンク１４内の水位が停止水位（又は死水水位）ＤＷＬとなる。
また、使用者が操作ハンドル４４の摘み部４４ａから手を放した時点で、操作ハンドル４４、回転軸４６、及び回動部材５８についても、待機状態の操作位置Ｐ１に戻る。
【００４１】
ここで、戻りばね７６は、操作ハンドル４４、回転軸４６、回動部材５８のそれぞれが操作位置Ｐ３（図７参照）に到達した際に、操作位置Ｐ４（図１２参照）から操作位置Ｐ５（図１３参照）を経て操作位置Ｐ１である便器洗浄操作が開始可能な初期位置に復帰させるように第３ギヤ７４を付勢する。
これにより、操作位置Ｐ３（図７参照）の第３ギヤ７４は、中心軸線Ａ３を中心に逆回転方向βに回転し、操作位置Ｐ４（図１２参照）から操作位置Ｐ５（図１３参照）を経て初期位置Ｐ１（図５参照）まで復帰する。
同時に、操作位置Ｐ３（図７参照）の第２ギヤ７２は、第３ギヤ７４の大ギヤ７４ａの回転に従動して中心軸線Ａ２を中心に正回転方向αに回転し、操作位置Ｐ４（図１２参照）から操作位置Ｐ５（図１３参照）を経て初期位置Ｐ１（図５参照）まで復帰する。
また、同時に、操作位置Ｐ３（図７参照）の第１ギヤ７０は、第２ギヤ７２の回転に従動して中心軸線Ａ１を中心に正回転方向βに回転し、操作位置Ｐ４（図１２参照）から操作位置Ｐ５（図１３参照）を経て初期位置Ｐ１（図５参照）まで復帰する。
さらに、同時に、操作位置Ｐ３（図７参照）の回動部材５８及び回転軸４６は、第１ギヤ７０と一体的に中心軸線Ａ１を中心に逆回転方向βに回転することにより操作位置Ｐ４（図１２参照）から操作位置Ｐ５（図１３参照）に移動する。
その後、回動部材５８の係止用の突出部５８ａは、戻りばね７６から第３ギヤ７４、第２ギヤ７２、及び第１ギヤ７０を介して伝達される付勢力と操作ハンドル４４の自重により、操作位置Ｐ５（図１３参照）から回転巻取部材６０側の係止突起６４を乗り越えて、操作ハンドル４４、回転軸４６、回動部材５８のそれぞれが初期位置Ｐ１（図５参照）まで復帰し、次回の便器洗浄操作が開始可能な状態となる。
【００４２】
上述した本発明の一実施形態による洗浄水タンク装置用の操作装置１によれば、便器に洗浄水を供給する洗浄水タンク装置２の排水弁本体３６の弁体４２を開弁操作することにより便器本体６への洗浄水の供給を開始させる際に、便器洗浄操作用の操作ハンドル４４について排水弁本体３６の弁体４２の閉弁位置に相当する操作位置Ｐ１から排水弁本体３６の弁体４２の全開位置に相当する操作位置Ｐ３まで回転操作すると、この操作ハンドル４４と共に回転軸４６が排水弁本体３６の弁体４２を開弁させる開弁方向（正回転方向α）に回転し、この回転軸４６と共に駆動ユニット４０の回動部材５８が操作位置Ｐ１（図５参照）から操作位置Ｐ３（図７参照）まで一体的に回動する。このとき、駆動ユニット４０の回転巻取部材６０が係止突起６４及び薄板ばね６６により回動部材５８に係止されているため、回転巻取部材６０についても、操作位置Ｐ１から所定の開弁方向（正回転方向α）に回転して操作位置Ｐ３（図７参照）に到達するまで回動部材５８と共に回転するため、排水弁本体３６と駆動ユニット４０の回転巻取部材６０とを連結する操作ワイヤ３８が回転巻取部材６０により巻き取られることにより、排水弁本体３６の弁体４２が閉弁位置から開弁方向に移動し、貯水タンク１４から便器本体６に洗浄水が供給される。
そして、回動部材５８及び回転巻取部材６０のそれぞれが操作位置Ｐ１（図５参照）からそれぞれの所定の開弁方向（正回転方向α）に回転して操作位置Ｐ３（図７参照）に到達し、排水弁本体３６と駆動ユニット４０の回転巻取部材６０とを連結する操作ワイヤ３８が回転巻取部材６０により所定量Ｌ１だけ巻き取られると、この巻き取られた操作ワイヤ３８の所定量Ｌ１だけ排水弁本体３６の弁体４２が閉弁位置Ｈ１（図２参照）から全開位置Ｈ３（図２参照）まで移動すると同時に、ケーシング５０の係止解除用の突出部５０ｂ及び係止突起６４が回動部材５８と回転巻取部材６０との係止を解除し、操作ハンドル４４の操作に関わらず回転巻取部材６０が所定の開弁方向（正回転方向α）とは反対の所定の閉弁方向（逆回転方向β）に回転して操作位置Ｐ１に移動する。すなわち、便器洗浄操作（排水弁本体３６の弁体４２の開弁操作）が開始され、排水弁本体３６の弁体４２が一旦全開位置Ｈ３（図２参照）まで移動すると、操作ハンドル４４の操作に関わらず、少なくとも回転巻取部材６０及び操作ワイヤ３８が速やかに操作位置Ｐ１に移動して排水弁本体３６の弁体４２を閉弁させることができるため、便器洗浄毎に貯水タンク１４から便器本体６に供給される洗浄水量を規定量で管理した便器洗浄が可能となる。
また、ケーシング５０の係止解除用の突出部５０ｂ及び係止突起６４による回動部材５８と回転巻取部材６０との係止解除により、便器洗浄操作（排水弁本体３６の弁体４２の開弁操作）を開始してから閉弁するまでの時間（排水弁本体３６の弁体４２の開弁時間）を短縮することができ、便器洗浄に要する規定の洗浄水量を比較的少なく設定することもできるため、便器洗浄の節水化を実現することができる。
さらに、回動部材５８についても、回転巻取部材６０と共に操作位置Ｐ３（図７参照）に到達した際に、回動部材５８、回転軸４６、及び操作ハンドル４４について、便器洗浄操作が開始可能な初期位置Ｐ１（図５参照）に復帰させるように付勢する初期位置復帰用の付勢手段である戻りばね７６の付勢力と操作ハンドル４４の自重により、次回の便器洗浄操作（排水弁本体３６の弁体４２の開弁操作）が開始可能な初期位置Ｐ１（図５参照）まで確実に復帰させることができる。
これらの結果、操作ハンドル４４、回転軸４６、及び回動部材５８のそれぞれについて、一連の便器洗浄操作が終了する毎に次回の便器洗浄操作（排水弁本体３６の弁体４２の開弁操作）に備えて、便器洗浄操作（排水弁本体３６の弁体４２の開弁操作）が開始可能な初期位置Ｐ１に速やかに且つ確実に復帰させることができる。
【００４３】
また、本発明の一実施形態による洗浄水タンク装置用の操作装置１によれば、駆動ユニット４０の回動部が、回転軸４６に固定された駆動側回動部である第１ギヤ７０と、この第１ギヤ７０の駆動により従動可能な従動側回動部である第２ギヤ７２及び第３ギヤ７４とを備えており、初期位置復帰用の戻りばね７６が、第３ギヤ７４に設けられていることにより、回動部材５８及び第１ギヤ７０が、回転巻取部材６０と共に操作位置Ｐ３（図７参照）に到達した際に、第１ギヤ７０、第２ギヤ７２、及び第３ギヤ７４のそれぞれについて、次回の便器洗浄操作（排水弁本体３６の弁体４２の開弁操作）が開始可能な初期位置Ｐ１（図５参照）まで確実に復帰させることができる。
これらの結果、便器洗浄操作用の操作ハンドル４４、回転軸４６、及び回動部材５８のそれぞれについても、一連の便器洗浄操作が終了する毎に次回の便器洗浄操作（排水弁の開弁操作）に備えて、便器洗浄操作（排水弁本体３６の弁体４２の開弁操作）が開始可能な初期位置Ｐ１（図５参照）に速やかに且つ確実に復帰させることができる。
【００４４】
さらに、本発明の一実施形態による洗浄水タンク装置用の操作装置１によれば、駆動側回動部が、回転軸４６に対して回動部材５８を介して固定された第１ギヤ７０を備えており、従動側回動部が、第１ギヤ７０と係合可能な第１従動側回動部材である第２ギヤ７２と、この第２ギヤ７２と係合可能な第２従動側回動部材である第３ギヤ７４とを備えており、初期位置復帰用の戻りばね７６が第３ギヤ７４に設けられていることにより、駆動側回動部材である第１ギヤ７０が、回転巻取部材６０と共に操作位置Ｐ３（図７参照）に到達した際に、第３ギヤ７４について、次回の便器洗浄操作（排水弁本体３６の弁体４２の開弁操作）が開始可能な初期位置Ｐ１（図５参照）まで確実に復帰させることができる。
同時に、第３ギヤ７４に係合する第２ギヤ７２、並びに、この第２ギヤ７２に係合する第１ギヤ７０のそれぞれについても、次回の便器洗浄操作（排水弁本体３６の弁体４２の開弁操作）が開始可能な初期位置Ｐ１（図５参照）まで確実に復帰させることができる。
これらの結果、便器洗浄操作用の操作ハンドル４４、回転軸４６、回動部材５８、第１ギヤ７０、第２ギヤ７２、及び第３ギヤ７４のそれぞれについて、一連の便器洗浄操作が終了する毎に次回の便器洗浄操作（排水弁本体３６の弁体４２の開弁操作）に備えて、便器洗浄操作（排水弁本体３６の弁体４２の開弁操作）が開始可能な初期位置Ｐ１（図５参照）に速やかに且つ確実に復帰させることができる。
さらに、第１ギヤ７０と、この第１ギヤ７０と係合可能な第２ギヤ７２と、この第２ギヤ７２と係合可能な第３ギヤ７４により、各ギヤ７０，７２，７４を互いに同一平面内にずらして配置することもできるため、各ギヤ７０，７２，７４を互いに駆動ユニット４０のケーシング５０内に回転軸４６の軸方向に配置した構造に比べて、駆動ユニット４０のケーシング５０内の回転軸４６の軸方向のスペースを小さくすることができ、駆動ユニット４０の回転軸４６の軸方向に配置される貯水タンク１４内の給水装置２０や排水弁装置２２等に関連する内部機器等との干渉を防ぐことができる。
【００４５】
なお、上述した本発明の一実施形態による洗浄水タンク装置用の操作装置１においては、回転巻取部材６０と駆動側の回動部材５８とを係止する係止手段として、回転巻取部材６０のそれぞれに係止突起６４及び付勢部材６６をそれぞれ設け、係止突起６４と回動部材５８の係止用の突出部５８ａとの係止を行う形態について説明したが、回転巻取部材６０側に係止用の突出部を設け、回動部材５８に係止突起及び付勢部材を設けてもよく、係止手段は、回動部材及び回転巻取部材の少なくとも一方に設けられていればよい。
また、上述した本発明の一実施形態による操作装置１においては、回転巻取部材６０と回動部材５８との係止を解除する係止解除手段として、駆動ユニット４０のケーシング５０の一部に係止解除用の突出部５０ｂを設けた形態について説明したが、このような形態に限られず、ケーシング５０以外の箇所に別途の係止解除手段を設けたり、回動部材５８や回転巻取部材６０自体に別途の係止解除手段を設けたりしてもよい。
さらに、上述した本発明の一実施形態による操作装置１においては、操作ハンドル４４が便器前方側から見て洗浄水タンク装置２の貯水タンク１４の左側側部に配置される形態について説明したが、このような形態に限定されず、操作ハンドル４４が便器前方から見て洗浄水タンク装置２の貯水タンク１４の右側側部に配置される形態であってもよい。
また、上述した本発明の一実施形態による操作装置１においては、操作ハンドル４４について、便器の洗浄操作を開始する際に操作ハンドルを引き上げることにより回転操作する、いわゆる、「プル式の操作ハンドル」に適用した場合について説明したが、駆動ユニット４０に関連する複数のギヤ７０，７２，７４等について、他の仕様のギヤに適宜変更したり、追加又は削減したりすることにより、便器の洗浄操作を開始する際に操作ハンドルを押圧して回転操作する、いわゆる、「プッシュ式の操作ハンドル」として適用可能である。
例えば、上述した本実施形態による操作装置１（プル式の操作ハンドル４４の操作装置１）の駆動ユニット４０における第１ギヤ７０以外の部品について、プッシュ式の操作ハンドルの形態の操作装置の駆動ユニットに対しても部品を共通化してもよい。これにより、プル式の操作ハンドル４４の操作装置１からプッシュ式の操作ハンドルの操作装置に切り替える場合には、第１ギヤ７０の代わりに別仕様のギヤ部品を付け替えたり、さらなるギヤ部品を追加したりするだけで、操作ハンドルの操作方式（プル式及びプッシュ式）について適宜容易に変更することができる。
【符号の説明】
【００４６】
１      洗浄水タンク装置用の操作装置
２      洗浄水タンク装置
４      水洗大便器
６      便器本体
８      ボウル部
１０      リム
１２      吐水口
１４      貯水タンク（洗浄水タンク）
１４ａ    貯水タンクの底部
１４ｂ    貯水タンクの側壁部
１４ｃ    取付穴
１６      導水路
１８      排水路
１８ａ    排水口
２０      給水装置
２２      排水弁装置
２２ａ    外装ケーシング
２４      給水管
２６      給水バルブ
２８      フロート
３０      吐水口
３２      リフィール管
３４      オーバーフロー管
３６      排水弁本体（排水弁）
３６ａ    排水弁本体の上端部
３８      操作ワイヤ（連結部材）
３８ａ    操作ワイヤの一端部
３８ｂ    操作ワイヤの他端部
４０      駆動ユニット
４２      弁体（排水弁）
４４      操作ハンドル（操作部）
４４ａ    操作ハンドルの摘み部
４６      回転軸
４６ａ    回転軸の外側端部
４６ｂ    回転軸の内側端部
４８      支持部材
５０      ケーシング
５０ａ    チューブ接続部
５０ｂ    係止解除用の突出部（係止解除手段）
５０ｃ    係止解除用の突出部の傾斜面
５０ｄ    係止解除用の突出部の下端部
５０ｅ    第２ギヤ取付用の軸部
５０ｆ    第３ギヤ取付用の軸部
５２      留め具
５４      留め具
５６      カバー部材
５６ａ    チューブ接続部
５８      駆動側の回動部材（回動部、駆動側回動部、駆動側回動部材）
５８ａ    係止用の突出部
５８ｂ    係止用の突出部の上端
５８ｃ    係止用の突出部の傾斜面
５８ｄ    嵌合用の突起
６０      回転巻取部材
６０ａ    操作ワイヤ用の取付穴
６０ｂ    ガイド溝
６０ｃ    回転巻取部材の背面
６０ｄ    回転巻取部材の係止突起用の取付穴
６２      チューブ（連結部材）
６２ａ    チューブの一端部
６２ｂ    チューブの他端部
６４      係止突起（係止手段）
６４ａ    係止突起の先端部
６４ｂ    係止突起の先端部の傾斜面
６６      薄板ばね（係止手段）
６６ａ    固定端部
６６ｂ    自由端部
６８      戻りばね
７０      第１ギヤ（回動部、駆動側回動部、駆動側回動部材）
７０ａ    嵌合用のキー溝
７２      第２ギヤ（回動部、従動側回動部、第１従動側回動部材）
７４      第３ギヤ（回動部、従動側回動部、第２従動側回動部材）
７４ａ    大ギヤ
７４ｂ    小ギヤ
７４ｃ    ばね保持部
７４ｄ    当接部
７４ｅ    当接部
７６      戻りばね（初期位置復帰用の付勢手段）
７６ａ    アーム部
７６ｂ    アーム部
Ａ１      中心軸線
Ａ２      中心軸線
Ａ３      中心軸線
Ｆ１      付勢力
Ｆ２      押圧力
Ｌ１      最大巻き取り量
ＷＬ      満水水位
ＤＷＬ      停止水位又は死水水位
Ｈ１      閉弁位置
Ｈ２      開弁途中位置
Ｈ３      最高開弁位置（全開位置）
Ｐ１      操作位置（第１操作位置、便器洗浄操作が開始可能な初期位置）
Ｐ２      操作位置
Ｐ３      操作位置（第２操作位置）
Ｐ４      操作位置
Ｐ５      操作位置
Ｔ１      ねじりモーメント
α        正回転方向（所定の開弁方向）
β        逆回転方向（所定の閉弁方向）
【図１】
2017166153.tif 000003
【図２】
2017166153.tif 000004
【図３】
2017166153.tif 000005
【図４】
2017166153.tif 000006
【図５】
2017166153.tif 000007
【図６】
2017166153.tif 000008
【図７】
2017166153.tif 000009
【図８】
2017166153.tif 000010
【図９】
2017166153.tif 000011
【図１０】
2017166153.tif 000012
【図１１】
2017166153.tif 000013
【図１２】
2017166153.tif 000014
【図１３】
2017166153.tif 000015
【図１４】
2017166153.tif 000016